(57)【要約】【課題】  薄形の巻上機であってハウジングの開口部側から制動機及び駆動綱車の保守作業が容易にできるエレベーター用巻上機を得る。【解決手段】  ハウジング１の前面に開口した凹所２に支持軸３を突設し、支持軸３に回転体５を枢着してハウジング１の凹所２に嵌合状態に配置する。また、ハウジング１の凹所２の開口側と同側に開口した回転体５の凹部６に制動機１１を設け、また支持軸３の突出端、すなわちハウジング１の前面側に駆動綱車１６を設ける。  そして、ハウジング１の前面側に制動機１１、駆動綱車１６を配置した巻上機を、ハウジング１の背面を昇降路壁面に対面して設置する。これによって、昇降路内での作業によって制動機１１及び駆動綱車１６を容易に保守でき保守作業を能率化する。【選択図】        図２
2006036438.tif 000002
【特許請求の範囲】
【請求項１】
一側に開口した凹所を有するハウジングと、上記ハウジングの凹所における底面の中央から開口側方向に突設された支持軸と、この支持軸に枢着されて上記ハウジングの凹所に嵌合状態に配置されて、上記ハウジングの凹所の開口側と同側に開口した凹部が設けられた回転体と、上記ハウジングの凹所における内周側壁寄りに設けられた固定子巻線及び上記回転体の外周面に設けられて上記固定子巻線と対向して配置された電機子からなる電動機と、一側が上記ハウジングに締結された取付腕の他側に装着されて上記回転体の凹部内に配置され、上記回転体の凹部における内周側壁に形成された制動面に対向した制動片を有する制動機と、上記回転体のボスにおける上記支持軸の突出端側に設けられた駆動綱車とを備えたエレベーター用巻上機。
【請求項２】
取付腕を、ハウジングにおける凹所の開口側の側面に一側が締結されて、水平投影面における駆動綱車のリム面に対応した空間に配置されたものとしたことを特徴とする請求項１記載のエレベーター用巻上機。
【請求項３】
駆動綱車のリム面に対向して設けられて上記駆動綱車に巻掛けられた主索の外面に少ない空隙を形成して配置された外れ止め具を備えたことを特徴とする請求項１及び請求項２のいずれか一つに記載のエレベーター用巻上機。
【請求項４】
支持軸の突出端面の凹所に装着されたエンコーダを備えたことを特徴とする請求項１〜請求項３のいずれか一つに記載のエレベーター用巻上機。
【請求項５】
ハウジングを、支持軸が一体に形成されたものとしたことを特徴とする請求項１〜請求項４のいずれか一つに記載のエレベーター用巻上機。
【請求項６】
回転体を、駆動綱車が一体に形成されたものとしたことを特徴とする請求項１〜請求項５のいずれか一つに記載のエレベーター用巻上機。
【発明の詳細な説明】
【技術分野】
【０００１】
この発明は、ハウジングと電動機の固定子巻線が一体的に構成されて、固定子巻線に対応した電動機の回転体が駆動綱車と一体的に構成され、駆動綱車の回転軸線に沿う方向の外形寸法が短く形成されて薄形をなすエレベーター用巻上機に関する。
【背景技術】
【０００２】
従来のエレベーター用巻上機においては、基体、すなわちハウジングから突設された支持軸に回転体が軸受を介して枢着される。そして、ハウジングの凹所における内周部に電動機の固定子巻線が設けられる。また、ハウジングの凹所に回転体が嵌合状態に配置され、回転体の外周部にエレベーターの主索が巻掛けられる駆動綱車の綱溝、電動機の電機子が設けられ、また回転体の内周部にブレーキドラムの制動面が設けられる。そして、ブレーキドラムの制動面に対応する電磁制動機が回転体内部に設けられる。
【０００３】
上記のように構成されたエレベーター用巻上機において、電動機の付勢と共に電磁制動機の電磁石が付勢されて電磁制動機の制動ばねによる回転体の制動が解除され、回転体が回転し駆動綱車の綱溝に巻掛けられた主索が駆動されてエレベーターのかご等の昇降体が昇降する。また、電動機の消勢と共に電磁制動機の電磁石が消勢されて、制動ばねによって電磁制動機が制動動作して回転体の回転を制動するように構成されている。（例えば、特許文献１参照）。
【０００４】
【特許文献１】特開２０００−２８９９５４号公報（要約、図２）
【発明の開示】
【発明が解決しようとする課題】
【０００５】
従来のエレベーター用巻上機では、ハウジングに回転体が枢着されてハウジングの一側に開口した凹所に回転体が嵌合状態に配置され、また回転体に凹部が形成されてこの凹部に制動機が設けられてハウジングの開口部側に配置される。そして、回転体に設けられた駆動綱車がハウジングの反開口部側に配置される。これによって、駆動綱車の回転軸線に沿う方向の外形寸法が短い、いわゆる薄形の巻上機が構成される。また、多くの場合に薄形の巻上機はエレベーター昇降路のピットに設置されて、駆動綱車側が昇降路壁に対面して配置され、ハウジングの開口部側が昇降路の横断面における中央側に配置される。
【０００６】
このように設置されたエレベーター用巻上機において、ハウジングの開口部側に設けられた制動機は昇降路内から容易に保守作業を行うことができる。しかし、駆動綱車が昇降路壁側に配置されるため、駆動綱車の綱溝に巻掛けられたエレベーターの主索の状況、すなわち主索の巻掛け状況の良否、異物の噛み込みの有無、綱溝と主索の損耗状況等の保守点検作業が容易でなく、特別な鏡を使用するなど煩雑な手数が掛かって保守作業能率が低下するという問題点があった。
【０００７】
この発明は、かかる問題点を解消するためになされたものであり、薄形の巻上機であってハウジングの開口部側から制動機及び駆動綱車の保守作業ができるエレベーター用巻上機を得ることを目的とする。
【課題を解決するための手段】
【０００８】
この発明に係るエレベーター用巻上機においては、一側に開口した凹所を有するハウジングと、ハウジングの凹所における底面の中央から開口側方向に突設された支持軸と、この支持軸に枢着されてハウジングの凹所に嵌合状態に配置されてハウジングの凹所の開口側と同側に開口した凹部が設けられた回転体と、ハウジングの凹所における内周側壁寄りに設けられた固定子巻線及び回転体の外周面に設けられて固定子巻線と対向して配置された電機子からなる電動機と、一側がハウジングに締結された取付腕の他側に装着されて回転体の凹部内に配置され、回転体の凹部における内周側壁に形成された制動面に対向した制動片を有する制動機と、回転体のボスにおける支持軸の突出端側に設けられた駆動綱車とが設けられる。
【発明の効果】
【０００９】
この発明によるエレベーター用巻上機は、ハウジングの一側すなわち前面に開口した凹所に支持軸が突設されて、支持軸に回転体が枢着されてハウジングの凹所に嵌合状態に配置される。また、ハウジングの凹所の開口側と同側に開口した回転体の凹部に制動機が設けられる。そして、支持軸の突出端、すなわちハウジングの前面側に駆動綱車が設けられる。このような構成によってハウジングの前面側に制動機、駆動綱車が配置された巻上機を、ハウジングの背面を昇降路壁面に対面して設置する。これにより、昇降路の横断面における中央部側からの作業によって制動機及び駆動綱車を容易に保守できて、保守作業能率が上がる効果がある。
【発明を実施するための最良の形態】
【００１０】
実施の形態１．
図１〜図４は、この発明の実施の形態を示す図で、図１は正面図、図２は図１のＡ−Ａ線断面図、図３は図１のＢ−Ｂ線断面図、図４は図１の側面図である。図において、ハウジング１に凹所２が設けられてハウジング１の前面、すなわち一側に開口して配置される。そして、凹所２における底面の中央から開口側方向に支持軸３が突設される。また、支持軸３に軸受４によって回転体５が枢着されてハウジング１の凹所２に嵌合状態に配置される。
【００１１】
そして、回転体５にハウジング１の凹所２の開口側と同側に開口、すなわちハウジング１に対して前面に開口した凹部６が設けられる。また、ハウジング１の凹所２における内周側壁に装備された固定子巻線７及び回転体５の外周面に装備されて固定子巻線７と対向して配置された電機子８からなる電動機９が設けられる。
【００１２】
また、一側がハウジング１に締結された取付腕１０が設けられ、取付腕１０の他側はハウジング１の凹所２及び回転体５の凹部６を横切って支持軸３寄りに配置される。なお、取付腕１０は図１における上側及び下側にそれぞれ設けられる。また、上側及び下側の取付腕１０のそれぞれにおける他側に制動機１１が締結されて回転体５の凹部６内に配置され、制動機１１の制動片１２が回転体５の凹部６における内周側壁に形成された制動面１３に対向して配置される。
【００１３】
なお、制動機１１には制動片１２を制動面１３に押圧する制動ばね１４及び付勢されて制動ばね１４の押圧力に抗して制動片１２を吸引する電磁石機構１５が設けられる。そして、駆動綱車１６が回転体５のボス１７における支持軸３の突出端側に嵌合状態に設けられて、ボルト１８によってボス１７の端面に締結される。また、駆動綱車１６の綱溝１９にエレベーターのかご等の昇降体（図示しない）を吊持する主索２０が巻掛けられる。
【００１４】
そして、支持軸３の突出端面に凹設された凹所にエンコーダ２１が装着されて、回転体５のボス１７に連結された回転板２２によって駆動される。また、図１における駆動綱車１６の両側にそれぞれ板状体の外れ止め具２３が設けられて、主索２０の外面に少ない空隙を形成して配置される。そして、両側の外れ止め具２３はそれぞれ上下端部が対応した取付腕１０の他側に締結されてハウジング１に対して固定され、主索２０の外面に対して所定位置に保持される。
【００１５】
上記のように構成されたエレベーター用巻上機において、エレベーターの停止時に電動機９が消勢されると共に、制動機１１の電磁石機構１５も消勢されて制動ばね１４によって制動片１２が制動面１３に押圧されて回転体５が制動される。そして、エレベーターの運転時は電動機９が付勢されると共に、制動機１１の電磁石機構１５も付勢されて制動ばね１４の押圧力に抗して制動片１２が吸引される。
【００１６】
これにより、制動片１２の制動面１３への押圧が解消されて回転体５の制動が解除され、回転体５すなわち駆動綱車１６が駆動されて主索２０を介してエレベーターの昇降体が昇降運転される。そして、ハウジング１の一側に開口した凹所２に支持軸３が突設されて、支持軸３に回転体５が枢着されてハウジング１の凹所２に嵌合状態に配置される。また、回転体５にハウジング１の凹所２の開口側と同側に開口した凹部６に制動機１１が設けられる。
【００１７】
また、支持軸３の突出端、すなわちハウジング１に形成された凹所２の開口部側端部に駆動綱車１６が設けられる。このように構成されてハウジング１の一側、すなわち前面側に制動機１１、駆動綱車１６、エンコーダ２１、外れ止め具２３が配置されたエレベーター用巻上機を、ハウジング１の背面を昇降路壁面に対面して設置する。これによって、昇降路の横断面における中央部側から制動機１１の保守作業を容易に行うことができ、また駆動綱車１６を制動機１１と同様に昇降路横断面の中央部側から容易に保守作業を行うことができる。
【００１８】
すなわち、駆動綱車１６の綱溝１９における主索２０の巻掛け状況の良否、異物の噛み込みの有無、綱溝１９と主索２０の損耗状況の点検、駆動綱車１６の交換作業、主索２０と外れ止め具２３との隙間の点検や管理作業等、エレベーターの主索２０と駆動綱車１６の綱溝１９の状況を容易に保守点検することができる。このため、保守作業時に特別な鏡を使用するなどの煩雑な手数が解消し保守作業能率を向上することができる。
【００１９】
また、ハウジング１の凹所２に支持軸３を介して回転体５が配置され、また回転体５の凹部６に制動機１１が設けられ、また支持軸３の突出端面の凹所にエンコーダ２１が装着される。さらに、ハウジング１の凹所２の開口側の側面に取付腕１０の一側が締結されて、水平投影面における駆動綱車１６のリム面に対応した空間に取付腕１０が配置される。このため、支持軸３の長さ、すなわち駆動綱車１６の回転軸線に沿う方向の外形寸法を短縮することができる。したがって、昇降路横断面における巻上機の設置スペースを節減でき省スペース化することができる。
【００２０】
また、支持軸３端面の凹所にエンコーダ２１が装着されるので巻上機における駆動綱車１６の回転軸線に沿う方向の外形寸法を短縮することができ、巻上機の設置スペースを節減できる。また、エンコーダ２１の保守、点検作業を昇降路横断面の中央部側から容易に行うことができる。さらに、工場において凹所２の開口部側を上向きにしてハウジング１を配置して巻上機の組立作業を行う。これによって、上方からの作業によって軸受４、電動機９の要部が装着された回転体５、制動機１１、駆動綱車１６、エンコーダ２１の装着作業を行うことができて巻上機製造の生産性を向上することができる。
【００２１】
実施の形態２．
図５は、この発明の他の実施の形態を示す図で、前述の図３相当図である。なお、図５の他は前述の図１〜図４と同様にエレベーター用巻上機が構成されている。図において、図１〜図４と同符号は相当部分を示し、ハウジング１に一側に開口した凹所２が設けられてハウジング１と支持軸３１が一体に構成されて、凹所２における底面の中央から開口側方向に支持軸３１が立設される。
【００２２】
上記のように構成されたエレベーター用巻上機においても、ハウジング１の一側に開口した凹所２に支持軸３１が突設されて、支持軸３１に回転体５が枢着されて凹所２に嵌合状態に配置される。また、回転体５にハウジング１の凹所２の開口側と同側に開口した凹部６に制動機１１が設けられて支持軸３１の突出端、すなわちハウジング１に形成された凹所２の開口部側端部に駆動綱車１６が設けられる。したがって、詳細な説明を省略するが図５の実施の形態においても図１〜図４の実施の形態と同様な作用が得られる。
【００２３】
実施の形態３．
図６も、この発明の他の実施の形態を示す図で、前述の図３相当図である。なお、図６の他は前述の図１〜図４と同様にエレベーター用巻上機が構成されている。図において、図１〜図４と同符号は相当部分を示し、支持軸３に回転体５が枢着されて凹所２に嵌合状態に配置される。そして、駆動綱車１６１が回転体５のボス１７と一体に構成されて支持軸３の突出端側に配置される。
【００２４】
上記のように構成されたエレベーター用巻上機においても、ハウジング１の一側に開口した凹所２に支持軸３が突設されて、支持軸３に回転体５が枢着されて凹所２に嵌合状態に配置される。また、回転体５にハウジング１の凹所２の開口側と同側に開口した凹部６に制動機１１が設けられて支持軸３の突出端、すなわちハウジング１に形成された凹所２の開口部側端部に駆動綱車１６１が設けられる。したがって、詳細な説明を省略するが図６の実施の形態においても図１〜図４の実施の形態と同様な作用が得られる。
【図面の簡単な説明】
【００２５】
【図１】この発明の実施の形態１を示す正面図。
【図２】図１のＡ−Ａ線断面図。
【図３】図１のＢ−Ｂ線断面図。
【図４】図１の側面図。
【図５】この発明の実施の形態２を示す図で、図３相当図。
【図６】この発明の実施の形態３を示す図で、図３相当図。
【符号の説明】
【００２６】
１  ハウジング、２  凹所、３  支持軸、３１  支持軸、５  回転体、６  凹部、７
固定子巻線、８  電機子、９  電動機、１０  取付腕、１１  制動機、１２  制動片、１３  制動面、１６  駆動綱車、１６１  駆動綱車、１７  ボス、２０  主索、２１  エンコーダ、２３  外れ止め具。
【図１】
2006036438.tif 000003
【図２】
2006036438.tif 000004
【図３】
2006036438.tif 000005
【図４】
2006036438.tif 000006
【図５】
2006036438.tif 000007
【図６】
2006036438.tif 000008